【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
外側表面を具備し、上記外側表面上に配置された複数のディンプルを有するゴルフボールにおいて、
上記ディンプルは第１のドメインおよび第２のドメインの複数の複製の中に配列され、上記第１のドメインおよび上記第２のドメインは、大円を具備せず、４つの上記第１のドメインと４つの上記第２のドメインを有する統一されたパターンで、上記ゴルフボールの上記外側表面を被覆するようにつなぎ合わされ、
上記第１のドメインの内部のディンプルパターンは上記第２のドメインの内部のディンプルパターンと異なり、
上記複数のディンプルは、最大ディンプル直径および最小ディンプル直径を含む少なくとも２つの異なる直径を有するディンプルを有し、
上記第１のドメインは周辺ディンプルおよび内部ディンプルからなり、上記第１のドメインの上記周辺ディンプルは２つ以下の異なる直径のディンプルからなり、
上記第２のドメインは周辺ディンプルおよび内部ディンプルからなり、上記第２のドメインの上記周辺ディンプルは少なくとも２つの異なる直径のディンプルからなり、
少なくとも１つの周辺ディンプルの直径は上記最大ディンプル直径であることを特徴とするゴルフボール。
【請求項２】
外側表面を具備し、上記外側表面上に配置された複数のディンプルを有するゴルフボールにおいて、
上記ディンプルは第１のドメインおよび第２のドメインの複数の複製の中に配列され、上記第１のドメインおよび上記第２のドメインは、大円を具備せず、４つの上記第１のドメインと４つの上記第２のドメインを有する統一されたパターンで、上記ゴルフボールの上記外側表面を被覆するようにつなぎ合わされ、
上記第１のドメインの内部のディンプルパターンは上記第２のドメインの内部のディンプルパターンと異なり、
上記複数のディンプルは、最大ディンプル直径および最小ディンプル直径を含む少なくとも３つの異なる直径を有するディンプルを有し、
上記第１のドメインは周辺ディンプルおよび内部ディンプルからなり、上記第１のドメインの上記内部ディンプルは少なくとも３つの異なる直径のディンプルからなり、
上記第２のドメインは周辺ディンプルおよび内部ディンプルからなり、上記第２のドメインの上記内部ディンプルは２つ以下の異なる直径のディンプルからなり、
上記第１のドメインの内部の少なくとも１つのディンプルの直径が上記最小ディンプル直径であり、
上記第２のドメインの内部の少なくとも１つのディンプルの直径が上記最大ディンプル直径であることを特徴とするゴルフボール。
【請求項３】
外側表面を具備し、上記外側表面上に配置された複数のディンプルを有するゴルフボールにおいて、
上記ディンプルは第１のドメインおよび第２のドメインの複数の複製の中に配列され、上記第１のドメインおよび上記第２のドメインは、大円を具備せず、４つの上記第１のドメインと４つの上記第２のドメインを有する統一されたパターンで、上記ゴルフボールの上記外側表面を被覆するようにつなぎ合わされ、
上記第１のドメインの内部のディンプルパターンは上記第２のドメインの内部のディンプルパターンと異なり、
上記複数のディンプルは、最大ディンプル直径および最小ディンプル直径を含む少なくとも２つの異なる直径を有するディンプルを有し、
上記第１のドメインは周辺ディンプルおよび内部ディンプルからなり、上記第１のドメインの上記周辺ディンプルはいずれも上記最大ディンプル直径または上記最小ディンプル直径である直径を有せず、
上記第２のドメインは周辺ディンプルおよび内部ディンプルからなり、上記第２のドメインの上記周辺ディンプルの少なくとも１つの直径が上記最小ディンプル直径であることを特徴とするゴルフボール。
【手続補正２】
【補正対象書類名】明細書
【補正対象項目名】００６２
【補正方法】変更
【補正の内容】
【００６２】
この発明の事例的な実施例が具体的に説明されたが、この発明の趣旨および範囲を逸脱することなく、種々の他の変形例が当業者に明らかであり、また当業者が容易になすことができることが理解される。したがって、添付の特許請求の範囲のスコープが上述した例や記載に限定されず、むしろ、特許請求の範囲は、この発明中に内在する特許性のある新規な特徴のすべてを包括するように構成されていることが意図されており、これは当業者が均等として扱うすべての特徴を含む。
以下、ここで説明した技術的特徴を列挙する。
［技術的特徴１］
外側表面を具備し、上記外側表面上に配置された複数のディンプルを有するゴルフボールにおいて、
上記ディンプルは第１のドメインおよび第２のドメインの複数の複製の中に配列され、上記第１のドメインおよび上記第２のドメインは、大円を具備せず、４つの上記第１のドメインと４つの上記第２のドメインを有する統一されたパターンで、上記ゴルフボールの上記外側表面を被覆するようにつなぎ合わされ、
上記第１のドメインの内部のディンプルパターンは上記第２のドメインの内部のディンプルパターンと異なり、
上記複数のディンプルは、最大ディンプル直径および最小ディンプル直径を含む少なくとも２つの異なる直径を有するディンプルを有し、
上記第１のドメインは周辺ディンプルおよび内部ディンプルからなり、上記第１のドメインの上記周辺ディンプルは２つ以下の異なる直径のディンプルからなり、
上記第２のドメインは周辺ディンプルおよび内部ディンプルからなり、上記第２のドメインの上記周辺ディンプルは少なくとも２つの異なる直径のディンプルからなり、
少なくとも１つの周辺ディンプルの直径は上記最大ディンプル直径であることを特徴とするゴルフボール。
［技術的特徴２］
上記第１のドメインは上記第１のドメインの中心点の周りに三回回転対称であり、上記第２のドメインは上記第２のドメインの中心点の周りに三回回転対称である技術的特徴１記載のゴルフボール。
［技術的特徴３］
上記第１のドメインの少なくとも１つの周辺ディンプルの直径は上記最大ディンプル直径であり、上記第２のドメインの少なくとも１つの周辺ディンプルの直径は上記最大ディンプル直径である技術的特徴１記載のゴルフボール。
［技術的特徴４］
少なくとも１つの内部ディンプルの直径は上記代々ディンプル直径である技術的特徴１記載のゴルフボール。
［技術的特徴５］
上記第１のドメインの少なくとも１つの内部ディンプルの直径は上記最大ディンプル直径であり、上記第２のドメインの少なくとも１つの内部ディンプルの直径は上記最大ディンプル直径である技術的特徴１記載のゴルフボール。
［技術的特徴６］
上記複数のディンプルは少なくとも３つの異なる直径を有するディンプルからなる技術的特徴１記載のゴルフボール。
［技術的特徴７］
上記第２のドメインの上記周辺ディンプルは少なくとも３つの異なる直径を有するディンプルからなる求項１記載のゴルフボール。
［技術的特徴８］
上記複数のディンプルは少なくとも４つの異なる直径を有するディンプルからなる技術的特徴１記載のゴルフボール。
［技術的特徴９］
上記複数のディンプルは少なくとも５つの異なる直径を有するディンプルからなる技術的特徴１記載のゴルフボール。
［技術的特徴１０］
外側表面を具備し、上記外側表面上に配置された複数のディンプルを有するゴルフボールにおいて、
上記ディンプルは第１のドメインおよび第２のドメインの複数の複製の中に配列され、上記第１のドメインおよび上記第２のドメインは、大円を具備せず、４つの上記第１のドメインと４つの上記第２のドメインを有する統一されたパターンで、上記ゴルフボールの上記外側表面を被覆するようにつなぎ合わされ、
上記第１のドメインの内部のディンプルパターンは上記第２のドメインの内部のディンプルパターンと異なり、
上記複数のディンプルは、最大ディンプル直径および最小ディンプル直径を含む少なくとも３つの異なる直径を有するディンプルを有し、
上記第１のドメインは周辺ディンプルおよび内部ディンプルからなり、上記第１のドメインの上記内部ディンプルは少なくとも３つの異なる直径のディンプルからなり、
上記第２のドメインは周辺ディンプルおよび内部ディンプルからなり、上記第２のドメインの上記内部ディンプルは２つ以下の異なる直径のディンプルからなり、
上記第１のドメインの内部の少なくとも１つのディンプルの直径が上記最小ディンプル直径であり、
上記第２のドメインの内部の少なくとも１つのディンプルの直径が上記最大ディンプル直径であることを特徴とするゴルフボール。
［技術的特徴１１］
上記第１のドメインは上記第１のドメインの中心点の周りに三回回転対称であり、上記第２のドメインは上記第２のドメインの中心点の周りに三回回転対称である技術的特徴１０記載のゴルフボール。
［技術的特徴１２］
上記複数のディンプルは少なくとも４つの異なる直径のディンプルを有する技術的特徴１０記載のゴルフボール。
［技術的特徴１３］
上記第１のドメインの上記内部ディンプルの少なくとも１つの直径が上記最小ディンプル直径であり、上記第１のドメインの上記周辺ディンプルはいずれも上記最小ディンプル直径である直径を有しない技術的特徴１０記載のゴルフボール。
［技術的特徴１４］
上記第２のドメインの上記周辺ディンプルの少なくとも１つの直径が上記最小ディンプル直径であり、上記第２のドメインの上記内部ディンプルはいずれも上記最小ディンプル直径である直径を有しない技術的特徴１０記載のゴルフボール。
［技術的特徴１５］
外側表面を具備し、上記外側表面上に配置された複数のディンプルを有するゴルフボールにおいて、
上記ディンプルは第１のドメインおよび第２のドメインの複数の複製の中に配列され、上記第１のドメインおよび上記第２のドメインは、大円を具備せず、４つの上記第１のドメインと４つの上記第２のドメインを有する統一されたパターンで、上記ゴルフボールの上記外側表面を被覆するようにつなぎ合わされ、
上記第１のドメインの内部のディンプルパターンは上記第２のドメインの内部のディンプルパターンと異なり、
上記複数のディンプルは、最大ディンプル直径および最小ディンプル直径を含む少なくとも２つの異なる直径を有するディンプルを有し、
上記第１のドメインは周辺ディンプルおよび内部ディンプルからなり、上記第１のドメインの上記周辺ディンプルはいずれも上記最大ディンプル直径または上記最小ディンプル直径である直径を有せず、
上記第２のドメインは周辺ディンプルおよび内部ディンプルからなり、上記第２のドメインの上記周辺ディンプルの少なくとも１つの直径が上記最小ディンプル直径であることを特徴とするゴルフボール。
［技術的特徴１６］
上記第１のドメインは上記第１のドメインの中心点の周りに三回回転対称であり、上記第２のドメインは上記第２のドメインの中心点の周りに三回回転対称である技術的特徴１５記載のゴルフボール。
［技術的特徴１７］
上記複数のディンプルは少なくとも３つの異なる直径のディンプルを有する技術的特徴１５記載のゴルフボール。
［技術的特徴１８］
上記複数のディンプルは少なくとも４つの異なる直径のディンプルを有する技術的特徴１５記載のゴルフボール。
［技術的特徴１９］
上記第１のドメインの上記内部ディンプルの少なくとも１つの直径が上記最大ディンプル直径であり、上記第１のドメインの上記内部ディンプルの少なくとも１つの直径が上記最小ディンプル直径である直径を有しない技術的特徴１５記載のゴルフボール。
［技術的特徴２０］
上記第２のドメインの上記内部ディンプルはいずれも上記最小ディンプル直径である直径を有しない技術的特徴１５記載のゴルフボール。
［技術的特徴２１］
上記第１のドメインの上記内部ディンプルの少なくとも１つの直径が上記最小ディンプル直径である技術的特徴１５記載のゴルフボール。